(57)【要約】【課題】簡単な構造で確実に組み立てることができ、組み立ての作業効率が良好なコードストッパーを提供する。【解決手段】紐体６２が挿通される嵌合部４０が内側に設けられたケース部材１４と、嵌合部４０に挿入された紐体６２をケース部材１４に押し付けて保持するピストン部材１２とを有する。ピストン部材１２は、紐体６２の挿通方向に沿う一対の脚部１６と、一対の脚部１６の先端部同士を連続する頭部１８と、頭部１８と反対側の後端部同士を連結する連結部材２４を有する。脚部１６の間に、伸縮自在のバネ部２８を備える。バネ部２８の一方の端部は頭部１８に連続し、他方の端部は、連結部材２４近傍に達し、ケース部材１４の嵌合部４０の所定の挿入深さの位置に固定される係止部３０を備える。連結部材２４は、紐体６２の挿通方向に交差する面に投影した形状の一部が切り欠かれて、挿通方向に係止部３０の少なくとも一部が露出する。【選択図】図１
2019198414.tif 000002
【特許請求の範囲】
【請求項１】
紐体（６２）が挿通される嵌合部（４０）が内側に設けられたケース部材（１４）と、前記嵌合部（４０）に挿入された前記紐体（６２）を前記ケース部材（１４）に押し付けて保持するピストン部材（１２）とから成り、
前記ピストン部材（１２）は、前記紐体（６２）の前記嵌合部（４０）内での挿通方向に沿う一対の脚部（１６）と、前記一対の脚部（１６）の先端部同士を連続する頭部（１８）と、前記頭部（１８）と反対側の後端部同士を連結する連結部材（２４）と、前記一対の脚部（１６）の間に形成され前記嵌合部（４０）の前記挿通方向に伸縮するバネ部（２８）が設けられ、
前記バネ部（２８）は、その一方の端部が前記頭部（１８）に連続し、他方の端部は前記ケース部材（１４）の前記嵌合部（４０）の所定の挿入深さの位置に固定される係止部（３０）に連続し、
前記ピストン部材（１２）を、前記ケース部材（１４）の前記嵌合部（４０）に挿入し、前記係止部（３０）を所定の挿入深さで固定し、前記ケース部材（１４）の前記嵌合部（４０）の内周面（５１）に前記紐体（６２）を挟んで前記頭部（１８）が押し付けられて前記紐体（６２）保持し、この状態から前記連結部材（２４）を外側に引くと前記頭部（１８）が前記内周面（５１）から離れて前記紐体（６２）の保持が解除されるコードストッパーであって、
前記連結部材（２４）は、前記挿通方向に交差する面に投影した形状の一部が切り欠かれて、前記挿通方向に前記係止部（３０）の少なくとも一部が露出するものであり、
前記ケース部材（１４）の前記嵌合部（４０）に前記ピストン部材（１２）を係止する際、前記係止部（３０）が前記挿通方向に露出した部分を直接押すことにより、前記係止部（３０）を前記ケース部材（１４）の所定の挿入深さの係止位置に移動させて、前記ケース部材（１４）に係止可能としたことを特徴とするコードストッパー。
【請求項２】
前記係止部（３０）と前記連結部材（２４）は、前記ケース部材（１４）の前記嵌合部（４０）に挿入する方向と交差する一方向に長い部材であり、互いに略平行であり、前記挿通方向に互いに離間し、
前記連結部材（２４）には、前記連結部材（２４）の長手方向に交差する方向に開口した空間（２６）が形成され、前記係止部（３０）が前記挿通方向に露出している請求項１記載のコードストッパー。
【請求項３】
前記ケース部材（１４）の前記嵌合部（４０）は、互いに所定間隔を開けて対面する上面部（４２）と下面部（４４）と、前記上面部（４２）と前記下面部（４４）の左右方向の側縁部に位置し互いに対向する一対の側面部（４６）で囲まれて設けられ、前記上面部（４２）と前記下面部（４４）に前記係止部（３０）が係止する被係止固定部（５６）を有する請求項１記載のコードストッパー。
【請求項４】
前記係止部（３０）は前記上面部（４２）と前記下面部（４４）に各々対向して形成され、前記上面部（４２）と前記下面部（４４）の少なくとも一方に、前記係止部（３０）が複数箇所で係止する複数の被係止固定部（５６）を備える請求項３記載のコードストッパー。
【請求項５】
前記上面部（４２）と前記下面部（４４）の少なくとも一方の所定位置には、前記頭部（１８）を前記挿通方向にガイドする透孔であるガイド溝部（５４）を有する請求項３又は４記載のコードストッパー。
【請求項６】
前記上面部（４２）の所定位置には、前記頭部（１８）を前記挿通方向にガイドする内面を所定深さに切り欠いたガイド凹部（５８）が設けられ、前記ガイド凹部（５８）に対向する前記下面部（４４）の所定位置には、前記下面部（４４）を貫通する前記ガイド溝部（５４）が設けられ、
前記頭部（１８）は前記上面部（４２）と前記下面部（４４）に向かって突出し差し込まれる一対のガイド突起（２０）を備え、前記一対のガイド突起（２０）が前記ガイド溝部（５４）と前記ガイド凹部（５８）の内側を移動可能であり、移動方向と移動長さが規制されている請求項５記載のコードストッパー。
【発明の詳細な説明】
【技術分野】
【０００１】
この発明は、紐体が挿通され紐体の任意の位置に固定可能なコードストッパーに関する。
【背景技術】
【０００２】
従来、紐体の任意の位置に取り付けられ、紐体の延出長を調整して弾性的に所定の長さに保持するコードストッパーがある。このようなコードストッパーは、紐体が一方向に挿通される筒体のケース部材と、ケース部材の内側に挿入して組み付けられたピストン部材から成る。
【０００３】
例えば、特許文献１に開示されているコードストッパーであるコードファスナーは、ピストン部が、ケース部材の筒体の一方の端部に係止される係止部と、係止部からケース部材の挿入方向に突出し挿入方向に伸縮するバネ部と、ばね部の先端に設けられた頭部から成り、頭部には紐体を保持する保持突起と、頭部を移動させる際に保持する操作凸部が設けられている。ケース部材は、上面部と下面部、上面部及び下面部の左右方向の両側縁に設けられた一対の側面部により筒体が形成され、筒体の一方の端部は、ピストンが差し込まれ係止部が係止される挿入口であり、他方の端部は、頭部が弾性的に押し付けられて紐体を保持し、保持した紐体が引き出される引出口である。また、ピストン部材の操作凸部が摺動可能に外側へ突出する開口部が形成されている。
【０００４】
このコードファスナーの使用方法は、二つ折りにした紐体の両端部分を、ケース部材の引出口から挿入口に挿通させるとともに、ケース部材の挿入口にピストンを差し込んで、一対の紐体の間にピストンを挿入して組み付ける。これにより、ピストンの頭部の保持突起が、紐体に付勢されて食い込んで紐体を保持し、紐体の二つ折りになった環状の部分が、ケース部材の引出口から外側に延出する。紐体の環状の部分の長さを変える時は、ピストンの頭部に設けられた操作凸部を操作して、頭部をバネ部の付勢力に抗して引出口から離れる方向に移動させる。これにより紐体の保持が解除され、紐体は摺動可能となり、紐体の環状の部分の長さを変えることができる。
【０００５】
しかし、特許文献１に開示されたコードファスナーは、ピストンの頭部に操作凸部が設けられており、紐体の組み付けや長さ調節の操作性が良くないものであった。そこで、その他のコードストッパーとして、ピストン部の係止部とバネ部の側方に、一対の脚部を設けたものがある。これは、ケース部材の挿通方向に沿う一対の脚部が設けられ、脚部の一方の端部は頭部に連続し、他方の端部は係止部の外側に離間して位置した連結部材に連続し、環状になっている。このようなコードストッパーは、ケース部材に組み付けやすく、また紐体の保持と保持解除の操作性が良いものである。
【先行技術文献】
【特許文献】
【０００６】
【特許文献１】ＵＳＰ４８７８２６９号公報
【発明の概要】
【発明が解決しようとする課題】
【０００７】
上記背景技術の後者の、ピストン部に脚部と連結部材が設けられている場合、ケース部材にピストン部を組み付ける時は、ケース部材の挿入口からピストン部の頭部を先にして差し込み、連結部材を押して挿入し、係止部をケース部材の所定の挿入深さの位置にある被係止部に係止する。しかし、押し込み操作する連結部材と係止部は離間しており、係止部はバネ部を介して頭部に繋がっているため、係止部を押し込み操作してもバネ部の変形が押し込み量を吸収し、係止部を確実にケース本体の被係止部に係止させることが難しい。従って、係止部と被係止部を係止させるために、連結部材を強い力で押さなければならず、作業が大変であり、係止が不完全の状態のものが発生することも多く、作業効率が良くないものである。また、係止部の端部を直接押圧して被係止部に係止させる事ができれば、確実な係止が可能であるが、係止部と連結部材との空間が狭く、係止部を押圧操作することはできなかった。
【０００８】
この発明は、上記背景技術の問題点に鑑みてなされたものであり、簡単な構造で確実に組み立てることができ、組み立ての作業効率が良好なコードストッパーを提供することを目的とする。
【課題を解決するための手段】
【０００９】
本発明は、紐体が挿通される嵌合部が内側に設けられたケース部材と、前記嵌合部に挿入された前記紐体を前記ケース部材に押し付けて保持するピストン部材とから成り、前記ピストン部材は、前記紐体の前記嵌合部内での挿通方向に沿う一対の脚部と、前記一対の脚部の先端部同士を連続する頭部と、前記頭部と反対側の後端部同士を連結する連結部材と、前記一対の脚部の間に形成され前記嵌合部の前記挿通方向に伸縮するバネ部が設けられ、前記バネ部は、その一方の端部が前記頭部に連続し、他方の端部は前記ケース部材の前記嵌合部の所定の挿入深さの位置に固定される係止部に連続し、前記ピストン部材を、前記ケース部材の前記嵌合部に挿入し、前記係止部を所定の挿入深さで固定し、前記ケース部材の前記嵌合部の内周面に、前記紐体を挟んで前記頭部が押し付けられて前記紐体を保持し、この状態から前記連結部材を外側に引くと前記頭部が前記内周面から離れて前記紐体の保持が解除されるコードストッパーである。さらに、前記連結部材は、前記挿通方向に交差する面に投影した形状の一部が切り欠かれて、前記挿通方向に前記係止部の少なくとも一部が露出するものであり、前記ケース部材の前記嵌合部に前記ピストン部材を係止する際、前記係止部が前記挿通方向に露出した部分を直接押すことにより、前記係止部を前記ケース部材の所定の挿入深さの係止位置に移動させて、前記ケース部材に係止可能としたコードストッパーである。
【００１０】
前記係止部と前記連結部材は、前記ケース部材の前記嵌合部に挿入する方向と交差する一方向に長い部材であり、互いに略平行であり、前記挿通方向に互いに離間し、前記連結部材には、前記連結部材の長手方向に交差する方向に開口した空間が形成され、前記係止部が前記挿通方向に露出しているものである。
【００１１】
前記ケース部材の前記嵌合部は、互いに所定間隔を開けて対面する上面部と下面部と、前記上面部と前記下面部の左右方向の側縁部に位置し互いに対向する一対の側面部で囲まれて設けられ、前記上面部と前記下面部に前記係止部が係止する被係止固定部を有する。
【００１２】
前記係止部は、前記上面部と前記下面部に各々対向して形成され、前記上面部と前記下面部の少なくとも一方に、前記係止部が複数箇所で係止する複数の被係止固定部を備える。
【００１３】
前記上面部と前記下面部の少なくとも一方の所定位置には、前記頭部を前記挿通方向にガイドする透孔であるガイド溝部を有する。
【００１４】
前記上面部の所定位置には、前記頭部を前記挿通方向にガイドする内面を所定深さに切り欠いたガイド凹部が設けられ、前記ガイド凹部に対向する前記下面部の所定位置には、前記下面部を貫通する前記ガイド溝部が設けられ、前記頭部は前記上面部と前記下面部に向かって突出し差し込まれる一対のガイド突起を備え、前記一対のガイド突起が前記ガイド溝部と前記ガイド凹部の内側を移動可能であり、移動方向と移動長さが規制されている。
【発明の効果】
【００１５】
本発明のコードストッパーは、簡単な構造で、ピストン部材をケース部材に組み付けて紐体に保持する際に、ピストン部材の係止部を直接押して、確実にケース部材に係止させることができる。これにより、容易且つ確実に紐体とともに組み立てることができる。
【図面の簡単な説明】
【００１６】
【図１】この発明の一実施形態のコードストッパーの下面部側から見た分解斜視図である。
【図２】この実施形態のコードストッパーの上面部側から見た分解斜視図である。
【図３】この実施形態のコードストッパーの平面図（ａ）、左側面図（ｂ）、正面図（ｃ）、底面図（ｄ）である。
【図４】図３のＡ−Ａ線縦断面図である。
【図５】図３のＢ−Ｂ線縦断面図である。
【図６】この実施形態のコードストッパーのピストン部材の平面図（ａ）、左側面図（ｂ）、正面図（ｃ）、底面図（ｄ）である。
【図７】この実施形態のコードストッパーのケース部材の平面図（ａ）、左側面図（ｂ）、正面図（ｃ）、底面図（ｄ）である。
【図８】この実施形態のコードストッパーのケース部材の背面図である。
【発明を実施するための形態】
【００１７】
以下、この発明の実施形態について図１〜図８を基にして説明する。このコードストッパー１０は、後述する紐体６２が一方向に挿通される嵌合部４０が内側に設けられたケース部材１４と、嵌合部４０に挿入して係止され紐体６２をケース部材１４に押し付けて保持するピストン部材１２とから成る。
【００１８】
ピストン部材１２は、例えばポリアセタール、ポリアミド、ポリプロピレン等の合成樹脂で一体成形により形成されている。ピストン部材１２は、ケース部材１４に挿入される一対の脚部１６が設けられ、一対の脚部１６は、互いに平行に直線的に伸びる柱状である。以後の説明において、ピストン部材１２の一対の脚部１６が突出する方向を前後方向とし、紐体６２の挿通方向と一致する。一対の脚部１６が互いに対向する方向を左右方向、前後方向と左右方向に直交する方向を表裏方向また厚み方向という。脚部１６の長手方向、つまり前後方向に対して交差する断面形状は矩形であり、左右方向に短く、表裏方向に長い長方形である。表裏方向の厚みは一定でなく、一方の端部１６ａ側が僅かに幅広くなっている。
【００１９】
ピストン部材１２は、一対の脚部１６の長手方向の、表裏方向の厚みが短い方の端部１６ｂ同士を連結する１つの頭部１８が設けられている。頭部１８は、前後方向に沿う仮想線を中心として左右対称の略二等辺三角形であり、脚部１６の端部１６ｂは、二等辺三角形の底辺の両端部に連続している。頭部１８の表裏方向の厚みはほぼ一定であり、頭部１８の表面と裏面には、中心を通る仮想線上に、ガイド突起２０が設けられている。ガイド突起２０は、頭部１８表面から表裏方向の外側に突出し、脚部１６の反対側の端部１６ａ側の面は表裏方向と左右方向に対して略平行な平面で形成されている。頭部１８の左右の斜辺には、保持突起２２が設けられている。保持突起２２は、表裏方向から見ると、三角形状であり、頭部１８の先端である頂角から離れる方向に向かって突出している。頭部１８の左右に４個、合計８個の保持突起２２が連続し、互いにほぼ平行な方向に突出している。保持突起２２の先端部分は、わずかに丸められ、表裏方向には一定形状である。
【００２０】
一対の脚部１６の端部１６ｂは、頭部１８に連続する部分が、互いに近づくようにわずかに湾曲している。また左右方向の幅は、湾曲し始めている部分から頭部１８にかけて、その他の部分よりも薄くなり、弾性変形しやすくなっている。
【００２１】
一対の脚部１６は、頭部１８と反対側の端部１６ａに近づくにつれて、表裏方向の両側に向かって段階的に幅広くなり、端部１６ａが一番広く形成されている。この一番広い端部１６ａには、１つの連結部材２４が連続して設けられ、端部１６ａは連結部材２４を介して互いに連結されている。連結部材２４は、左右方向に長い棒状部材である。一対の脚部１６と、頭部１８、連結部材２４は、環状になっている。連結部材２４は、表裏方向の厚みは、脚部１６のこの一番広い端部よりも薄く形成され、脚部１６のこの一番広い端部１６ａの、表裏方向の一方の端に寄って設けられている。脚部１６の端部１６ａの、表裏方向の他方の端縁部には、連結部材２４を表裏方向に凹状に切り欠いた形状の空間２６が形成される。空間２６を形成する連結部材２４の切りかきは、紐体６２の挿通方向に交差する面、具体的には表裏方向及び左右方向に平行な面に連結部材２４を投影した形状の一部が切り欠かれていれば良い。なお、連結部材２４の、表裏方向の厚みは、脚部１６の端部１６ａの半分以下の細さに形成され、空間２６は、連結部材２４の表裏方向の厚みよりも少し広い幅で開口し、表裏方向及び前後方向に解放されている。これは、作業者の指が入って係止部３０を直接押すことができる十分な広さである。
【００２２】
一対の脚部１６の間には、バネ部２８が設けられている。バネ部２８は、頭部１８の底辺に設けられ、脚部１６に沿って延出し連結部材２４近傍に達している。バネ部２８は、表裏方向に一定の厚みを有し左右方向の幅が細い板状体であり、長手方向の３箇所が湾曲して折り曲げられて弾性を有し、特に前後方向に弾性変形しやすい。
【００２３】
バネ部２８の、頭部１８と反対側の、連結部材２４近傍に位置する端部には、左右方向に長い板状の係止部３０が設けられている。係止部３０は、左右方向に長い立方体形状であり、表裏方向の厚みはバネ部２８とほぼ等しく、左右方向の幅はバネ部２８よりも広く、連結部材２４より短い。係止部３０は、連結部材２４に対して略平行であり、連結部材２４より僅かに頭部１８寄りに位置して、連結部材２４と離間している。従って、バネ部２８と係止部３０は、一対の脚部１６と、頭部１８、連結部材２４で形成された環の内側に位置している。
【００２４】
係止部３０の、頭部１８側の面、つまり連結部材２４と反対側の面には、左右方向の中心にバネ部２８が連続し、この面の、バネ部２８を挟んだ左右方向の両側部分は、僅かに頭部１８側へ突出している。係止部３０の、バネ部２８を挟んだ左右方向の両側部分には、表裏面方向に突出する係止爪３２が各々表裏の片側に２個ずつ、合計４個が設けられている。係止爪３２は、連結部材２４側の面は表裏方向と左右方向に対して略平行な平面で形成されている。
【００２５】
ケース部材１４も、例えばポリアセタール、ポリアミド、ポリプロピレン等の合成樹脂で一体成形により形成されている。ケース部材１４は、ピストン部材１２が挿入される中空の嵌合部４０を有している。嵌合部４０は、互いに所定間隔を開けて対面する上面部４２と下面部４４と、上面部４２と下面部４４の左右方向の側縁部に位置し互いに対向する一対の側面部４６で囲まれて設けられ、筒体に形成されている。嵌合部４０は、図４に示すようにピストン部材１２がゆとりを有して嵌合される空間であり、ピストン部材１２と側面部４６の間に、後述する紐体６２が挟持される隙間を有している。
【００２６】
ケース部材１４の筒体の一方の開口部は、ピストン部材１２が挿入される挿入口４８であり、反対側の開口部はピストン部材１２の頭部１８が押し付けられて紐体６２を保持し、保持した紐体６２が引き出される引出口５０である。引出口５０は、挿入口４８よりも小さく形成されている。
【００２７】
引出口５０を形成する一対の側面部４６の側縁部４６ａは、上面部４２と下面部４４の側縁部４２ａと側縁部４４ａよりも外側に張り出し、一対の側面部４６の側縁部４６ａには、１つの取付部５２が連続して設けられ、側縁部４６ａは取付部５２を介して互いに連結されている。取付部５２は、左右方向に長い棒状の部材である。取付部５２は、表裏方向の厚みが、側面部４６の側縁部４６ａよりも細く形成され、側縁部４６ａの、下面部４４の側縁部４４ａに連続する端に寄って設けられている。側面部４６の側縁部４６ａの、表裏方向の他方の端は引出口５０に連通する空間となる。なお、取付部５２の、表裏方向の厚みは、側面部４６の側縁部４６ａの半分以下の細さに形成され、空間の表裏方向の広さは、取付部５２の表裏方向の厚みよりも少し広い。これは引出口５０から引き出された紐体６２が通過する十分な広さである。
【００２８】
下面部４４の側縁部４４ａには、矩形に切り欠いたガイド溝部５４が設けられている。ガイド溝部５４は、前後方向に長い矩形である。上面部４２の側縁部４２ａには、ガイド溝部５４に対向する位置に、ガイド凹部５８が設けられている。ガイド凹部５８は、上面部４２の厚みの一部を、嵌合部４０側の面から切り欠いて設けられ、ガイド溝部５４と同じ形状であり、前後方向に長い矩形である。
【００２９】
上面部４２と下面部４４の、挿入口４８に近い位置に、ピストン部材１２の係止爪３２が係止される被係止固定部である係止爪固定部５６が設けられている。係止爪固定部５６は、係止爪３２が差し込まれて係止する矩形の透孔であり、上面部４２又は下面部４４を貫通して形成されている。係止爪固定部５６は、上面部４２と下面部４４に２個ずつ、合計４個が設けられている。
【００３０】
次に、この実施形態のコードストッパー１０の係止動作について、以下に説明する。まず、このコードストッパー１０は、図示しないかばん等の開口部の近傍に取り付けて使用する。開口部には、周縁部に沿って１本の紐体６２が挿通され、紐用の穴等から紐体６２の両端部分６２ａが外側に引き出されている。紐体６２の両端部分６２ａを引き出す長さを変えて、開口部を開閉するものである。
【００３１】
コードストッパー１０を取り付ける方法は、まず、図３〜図５に示すように、ピストン部材１２を組み付ける前に、ケース部材１４の取付部５２にテープ部材６０を巻き、テープ部材６０の端部を、かばん等の開口部の紐用の穴等の近傍に固定する。紐用の穴等から引き出された紐体６２の両端部分６２ａを、引出口５０から嵌合部４０に入れて挿入口４８から外側に引き出す。挿入口４８の左右方向の端部に一対の紐体６２の両端部分６２ａをそれぞれ寄せて、挿入口４８の中央で一対の紐体６２の間に、ピストン部材１２をその頭部１８を先にして差し込む。ピストン部材１２の連結部材２４に隣接する空間２６には、バネ部２８に連続する係止部３０が露出しており、空間２６に指を入れて係止部３０を押し込み、ピストン部材１２を奥まで入れながら、係止部３０の係止爪３２をケース部材１４の係止爪固定部５６に差し込み、係止する。
【００３２】
ピストン部材１２の表裏方向に位置する係止爪３２の先端同士の間隔は、ケース部材１４の上面部４２と下面部４４の内側面同士の間隔、つまり嵌合部４０の表裏方向の間隔よりも僅かに長い。このため、ピストン部材１２を嵌合部４０に入れる際にケース部材１４は係止爪３２に押されて表裏方向に広がる。係止爪３２が係止爪固定部５６に一致した時、係止爪３２は係止爪固定部５６に差し込まれ、ケース部材１４の弾性変形は復元し、係止爪３２が係止爪固定部５６から抜けなくなる。係止爪３２の、連結部材２４側の面は表裏方向と前後方向に対して直角な平面で形成されているため、ピストン部材１２に引き抜く方向に力が加えられても、係止爪固定部５６の内面に当接し、抜けることが無い。
【００３３】
バネ部２８は、頭部１８が内周面５１に押し付けられた位置で係止爪３２が係止爪固定部５６の外側に位置するように長く設けられている。よって、係止部３０を押し込んで係止爪３２を係止爪固定部５６に係止した時は、バネ部２８は弾性変形して縮められ、頭部１８は内周面５１に当接する方向へ付勢される。このため、ピストン部材１２の係止爪３２がケース部材１４の係止爪固定部５６に係止された時、紐体６２は、頭部１８により引出口５０の内周面５１に押し付けられて挟持され、紐体６２に保持突起２２が当接し、紐体６２を保持固定する。保持突起２２は、頭部１８の頂角から離れる方向に向かって突出しているため、紐体６２が引出口５０から引き出される方向、つまりかばん等の開口部が広がる方向には摺動しない。また、保持突起２２の先端は、わずかに丸められているため、紐体６２を傷つけることがない。
【００３４】
ピストン部材１２の頭部１８の表裏両側に設けられたガイド突起２０は、一方は上面部４２のガイド凹部５８に差し込まれ、他方は下面部４４のガイド溝部５４に差し込まれる。ガイド溝部５４とガイド凹部５８は、前後方向に長い矩形であることから、ガイド突起２０は前後方向に移動可能で、左右方向には移動が制限される。つまり、頭部１８は前後方向に移動可能で、左右方向には移動が制限される。表裏方向に位置するガイド突起２０の先端同士の間隔は、ケース部材１４の上面部４２と下面部４４の内側面同士の間隔、つまり嵌合部４０の表裏方向の間隔よりも僅かに長く形成されている。このため、ピストン部材１２を嵌合部４０に入れる際にケース部材１４はガイド突起２０に押されて表裏方向に広がる。ガイド突起２０がガイド溝部５４とガイド凹部５８に一致した時、ガイド突起２０はガイド溝部５４とガイド凹部５８に差し込まれ、ケース部材１４の弾性変形は復元し、ガイド突起２０はガイド溝部５４とガイド凹部５８から抜けなくなる。ガイド突起２０の、連結部材２４側の面は表裏方向と左右方向に対して略平行な平面で形成されているため、ピストン部材１２に引き抜く方向に力が加えられても、ガイド溝部５４とガイド凹部５８の内面に当接し、抜けることが無い。
【００３５】
ピストン部材１２の連結部材２４には、テープ状等の引手６４を取り付ける。なお、引手６４は丸紐やフラップ等何でもよい。
【００３６】
これでピストン部材１２とケース部材１４の組付けが完了し、コードストッパー１０の、開口部への取り付けが完了する。コードストッパー１０は、開口部に沿う紐体６２の輪部分は引出口５０から延出し、紐体６２の両端部分６２ａは挿入口４８から延出する。
【００３７】
次に、コードストッパー１０の使用方法について説明する。紐体６２が取り付けられた開口部を絞って閉鎖する時は、ケース部材１４を片手で保持し、他方の手で挿入口４８から延出する紐体６２の両端部分６２ａを外側に向かって引く。紐体６２は保持突起２２が押し付けられて保持されているが、保持突起２２は頭部１８の頂角から離れる方向に向かって突出しているため、強い力で引くことにより挿入口４８から外側へ摺動することができ、引出口５０側の紐体６２が短くなり、開口部を絞ることができる。
【００３８】
開口部を広げて開ける時は、ピストン部材１２の引手６４を片手で保持し、かばん等から離れる方へ引く。ケース部材１４はかばんに固定されているため、ピストン部材１２の引手６４を引くとピストン部材１２がケース部材１４の挿入口４８から外側に少し引き出され、バネ部２８は弾性変形して縮み、頭部１８は引出口５０の内周面５１から離れ、紐体６２が摺動可能な状態になる。片手でピストン部材１２の引手６４を引くだけで、かばん等の重みで、紐体６２のみがケース部材１４の引出口５０から引き出され、紐体６２は摺動して長くなり、開口部が大きくなり、かばんから物品を出し入れすることができる。
【００３９】
紐体６２の任意の位置で引手６４を離すと、バネ部２８の弾性によりピストン部材１２がケース部材１４の嵌合部４０に戻り、紐体６２を保持し、カバンの開口を任意の大きさで保持することができる。
【００４０】
ピストン部材１２がケース部材１４に対して移動する際は、ピストン部材１２の頭部１８のガイド突起２０が、ガイド溝部５４とガイド凹部５８によりガイドされ、前後方向に安定して移動する。保持突起２２は頭部１８の頂角から離れる方向に向かって突出しているため、開口部を絞る時は紐体６２の両端部分６２ａを強い力で引くことにより簡単に絞ることができ、開口部を広げる時は、紐体６２の反対側を強い力で引いても紐体６２が摺動することがなく、安全である。ピストン部材１２をケース部材１４から引くことにより開口部を広げることが可能であり、不用意に開口部が広がることがない。
【００４１】
なお、コードストッパー１０は、かばん等の使用する物品に固定されていなくても良い。固定されていない場合も、同様の操作で行う。かばん等の開口部を広げる時は、必要に応じて他方の手でかばんの開口部を保持しながら行う。
【００４２】
この実施形態のコードストッパー１０によれば、簡単な構造で確実に組み立てることができる。ピストン部材１２をケース部材１４に組み付けて紐体６２に保持する際は、ピストン部材１２の係止部３０を直接押して、確実にケース部材１４に係止させることができる。つまり、ピストン部材１２の連結部材２４に隣接する空間２６に、バネ部２８に連続する係止部３０が露出しており、空間２６に指を入れて係止部３０を押込み、ピストン部材１２を奥まで入れながら、係止部３０の係止爪３２をケース部材１４の係止爪固定部５６に差し込み、係止することができ、連結部材２４を押して係止する場合よりも確実にケース部材１４に係止することができる。ピストン部材１２の表裏方向に位置する係止爪３２の先端同士の間隔は、ケース部材１４の嵌合部４０の表裏方向の間隔よりも僅かに長いため、ピストン部材１２を嵌合部４０に入れる際にケース部材１４にこすれて摩擦が生じ、連結部材２４を押して係止する場合はバネ部２８が伸びてしまい、取り付け位置付近まで押しても係止爪３２が係止爪固定部５６に達しない恐れがあるが、係止部３０を直接押すことができるため、摩擦力に抗して効果的に押圧することができ、係止部３０を取り付け位置まで押し込み、確実に係止爪３２を係止爪固定部５６に係止することができる。
【００４３】
また、保持突起２２は、頭部１８の頂角から離れる方向に向かって突出しているため、開口部を絞る時は紐体６２の両端部分６２ａを強い力で引くことにより簡単に絞ることができる。一方、開口部を広げる時は、紐体６２の輪の部分を強い力で引いても紐体６２が摺動することがなく、ピストン部材１２をケース部材１４から引くことで開口部を広げることが可能となり、不用意に開口部が広がることがなく、安全である。従って、かばん等の開口部を開閉する操作が容易であり、使用しやすい。
【００４４】
ピストン部材１２をケース部材１４から引くときは、ピストン部材１２の頭部１８に設けられたガイド突起２０が、ガイド溝部５４とガイド凹部５８の内側を移動するため、前後方向に動きが規制されて安定して摺動することができる。さらに、ピストン部材１２を強く引きすぎて外れることを防ぐことができ、引く力を解除した時は、元の位置に確実に戻ることができる。この他、ガイド溝部５４は下面部４４を貫通して形成されているため、金型が簡単であり、ガイド凹部５８とガイド溝部５４を１個の金型で形成することができ、成型後に金型を引き抜いて外すことができる。
【００４５】
なお、この発明のコードストッパーは、上記実施形態に限定されるものではなく、各部材の形状は自由に変更することができる。ケース部材１４の形状は、挿入口側を細くして親指と人差し指で押さえながらピストン部材１２を引くようにしても良い。係止部３０は、表裏面方向に突出する係止爪３２が、表裏の各々で複数設けられていることが好ましいが、表裏の一方のみが複数の係止爪３２を有する構造でも良く、表裏の片側に複数の係止爪３２が形成されているものでも良い。ピストン部材１２の保持突起２２の形状や数、バネ部２８の太さや形状等、適宜紐体の太さや固さに合わせて適したものにすることができる。コードストッパーを取り付ける物品は、かばんや衣服、防寒具等、何でも良い。ピストン部材の、ケース部材への取り付ける向きは、連結部材が上面部側に近づく向きでもよく、下面部側に近づく向きでもよい。また下面部にガイド溝部が設けられ、上面部にガイド凹部が設けられてもよい。
【符号の説明】
【００４６】
１０  コードストッパー
１２  ピストン部材
１４  ケース部材
１６  脚部
１８  頭部
２０  ガイド突起
２４  連結部材
２６  空間
２８  バネ部
３０  係止部
３２  係止爪
４０  嵌合部
４２  上面部
４４  下面部
４６  側面部
４８  挿入口
５０  引出口
５１  内周面
５４  ガイド溝部
５６  係止爪固定部
５８  ガイド凹部
６２  紐体
【図１】
2019198414.tif 000003
【図２】
2019198414.tif 000004
【図３】
2019198414.tif 000005
【図４】
2019198414.tif 000006
【図５】
2019198414.tif 000007
【図６】
2019198414.tif 000008
【図７】
2019198414.tif 000009
【図８】
2019198414.tif 000010